(57)【要約】【課題】安価に製作できる構造の皮張り打楽器を提供する。【解決手段】円筒状の胴１の両端開口部に２枚の皮５を張って紐締めする打楽器であって、円形の皮をそれぞれ保持する一対のフランジセット２を備え、各フランジセット２は、皮５の周縁部を挟持するための内側フランジ３および外側フランジ４とからなり、内側フランジ３および外側フランジ４には、皮５を締付けるためのボルトを通すボルト孔と、紐締め用の調緒８を通す紐通し孔が形成されている。本発明では皮張りの固定作業と、張力の最適化を別工程でできるので、その作業は容易である。このように、製作が容易なので低コストで製作が出来、広く普及させることができる。【選択図】図１
2008191486.tif 000002
【特許請求の範囲】
【請求項１】
円筒状の胴の両端開口部に２枚の皮を張って紐締めする打楽器であって、
円形の皮をそれぞれ保持する一対のフランジセットを備え、
各フランジセットは、前記皮の周縁部を挟持するための内側フランジおよび外側フランジとからなり、
前記内側フランジおよび前記外側フランジには、前記皮を締付けるためのボルトを通すボルト孔と、前記紐締め用の調緒を通す紐通し孔が形成されている
ことを特徴とする皮張り打楽器。
【請求項２】
前記フランジセットが、前記内側フランジと前記外側フランジの間に挟み込まれる第１摩擦リングを備えており、
前記内側フランジまたは前記外側フランジには、前記皮を挟んだ状態で前記第１摩擦リングを収容する第１環状溝が形成されている
ことを特徴とする請求項１記載の皮張り打楽器。
【請求項３】
前記胴の両端開口部に紐締めによって取付けられた皮に対して接触する第２摩擦リングと、
前記両端開口部の端面に形成された該第２摩擦リングを収容する第２環状溝とを備えている
ことを特徴とする請求項１記載の皮張り打楽器。
【発明の詳細な説明】
【技術分野】
【０００１】
本発明は、皮張り打楽器に関する。さらに詳しくは、胴の両端に皮が紐締めによって張られた打楽器であり、鞨鼓や鼓、和太鼓などを含む和楽器に関する。
上記の鞨鼓は、管絃の左方の舞楽で用いられる和楽器であり、演奏の速度を決めたり、終わりの合図をする役目を担っている。演奏は先端が棗（なつめ）の実の形に模した２本の桴（ばち）を両手に持って、ポンと１回だけ打ったり、片手で連続的に打ったりする。
この鞨鼓の外、鼓や紐締めの太鼓等を総称する皮張り打楽器は、いずれも木製の筒状の胴の両端に皮を張った構造である点で共通している。
【背景技術】
【０００２】
鞨鼓をはじめとする皮張り打楽器は、伝統的な和楽器であり、1000年以上にわたる伝統的な構造を受け継いでいる。その伝統的な構造は、中央の膨らんだ木材の胴の両端に竹輪または鉄輪に皮を張ったものを当て、両端の竹輪または鉄輪の間を皮の調緒（しらべお）で締めるもので、いわゆる紐締め構造と称されてきたものである。（特許文献１、非特許文献１）。
【０００３】
ところで、上記の紐締め構造は製作に非常な熟練を要する作業である。図８〜図９に伝統的な紐締め構造の鞨鼓を示す。この鞨鼓の場合であると、胴101の両端に２枚の皮102を張るのに竹製の輪103を２本作り、それぞれの竹製の輪103に皮102を円形に切り接着しなければならない。ところが、この接着構造は秘伝とされていて、代々その秘技を受け継いできた職人しか知ることができず、外観からは推測することも困難なため、一般にはその構造は分っていない。それはともかくとして、竹製の輪103に皮102を固定した後は、皮102の周辺において等間隔に小さな補強用の飾皮104を当てて接着する。接着にはにかわなどが用いられる。飾皮104が強く接着されると孔をあけ、はとめによって孔を補強し、皮製の調緒106を通せるようにする。この竹製の輪103と皮102のセットを木製胴101の両側に対置させ、１本の長い調緒106を、一方の皮102の孔に通しながら一方の竹製の輪103にくくりつけ、つぎに胴の他端に伸ばして他方の皮102の孔に通して他方の竹製の輪103にくくりつけ、この手順を繰り返しながら、円周方向で等間隔に調緒106を通していく。このようにしながら胴101の両端においた皮102に適度な張力を与えるように張っていく。そして、最後に隣り合う調緒106を数本の短い締め紐107でくくって、調緒106の張力を調整する。
【０００４】
このような手法によると、皮102に皺が寄らないように平坦な状態で竹製の輪103に固定する作業は竹製の輪103自体が完全な円形でないこともあり、秘伝の奥儀を知ったものでないとできない。また、胴両端の一対の皮102に必要な張力を与える張力の最適化については、調緒106と締め紐107を使うという、これも大変な熟練を要する困難な作業である。
【０００５】
このように、多大な困難があって、それを克服するには非常な熟練を要するうえ、現在、熟練した秘技を有する職人は京都に数名しか居ないので、大量生産することができない。そのため楽器自体が相当高価なものとなっており、雅楽を楽しみたい人が多くいるにも拘らず、普及を妨げているのが現状である。本格的な雅楽演奏をするには、いくら高価でも伝統的製法で作られた鞨鼓を用いなければならないが、普段の練習用には、もっと安価な鞨鼓が望ましい。そのためには、製作が容易な構造とする必要がある。
【０００６】
【特許文献１】特開２００４−２９９５３７号
【非特許文献１】平凡社大百科事典３巻404頁
【発明の開示】
【発明が解決しようとする課題】
【０００７】
本発明は上記事情に鑑み、安価に製作できる構造の皮張り打楽器を提供することを目的とする。
【課題を解決するための手段】
【０００８】
第１発明の皮張り打楽器は、円筒状の胴の両端開口部に２枚の皮を張って紐締めする打楽器であって、円形の皮をそれぞれ保持する一対のフランジセットを備え、各フランジセットは、前記皮の周縁部を挟持するための内側フランジおよび外側フランジとからなり、前記内側フランジおよび前記外側フランジには、前記皮を締付けるためのボルトを通すボルト孔と、前記紐締め用の調緒を通す紐通し孔が形成されていることを特徴とする。
第２発明の皮張り打楽器は、第１発明において、前記フランジセットが、前記内側フランジと前記外側フランジの間に挟み込まれる第１摩擦リングを備えており、前記内側フランジまたは前記外側フランジには、前記皮を挟んだ状態で前記第１摩擦リングを収容する第１環状溝が形成されていることを特徴とする。
第３発明の皮張り打楽器は、第１発明において、前記胴の両端開口部に紐締めによって取付けられた皮に対して接触する第２摩擦リングと、前記両端開口部の端面に形成された該第２摩擦リングを収容する第２環状溝とを備えていることを特徴とする。
【発明の効果】
【０００９】
第１発明によれば、皮の保持をフランジセットで行うが、フランジセットは工業的に生産され必要な真円度を有しているうえに、内側フランジと外側フランジで挟んでボルト止めするだけで皮を固定できる。このため、皮に皺を寄らせないで平らに張った状態で簡単に皮をフランジセットに固定できる。この段階では、皮に与えるべき張力調整をする必要がない。ついで、皮を固定したフランジセット２個を胴の両端開口部に置いて紐締めすることになるが、この際に皮は既にフランジセットに固定されているため張力調整のみを行えばよい。このように、本発明では皮張りの固定作業と、張力の最適化を別工程でできるので、その作業は容易である。このように、製作が容易なので低コストで製作が出来、広く普及させることができる。
第２発明によれば、内側フランジセットと外側フランジの間に挟まれた皮が、第１摩擦リングによって高い摩擦力が生じた状態で保持されるので、張力調整時や製作後の使用時において、皮の張力に緩みが生じない。このため製作が容易であり、かつ使用中に同じ音色を長期にわたって奏することができない。
第３発明によれば、フランジセットで保持された皮が第２摩擦セットの摩擦によって胴の開口端部に対しズレ動きにくくなる。このため、皮を胴に取付ける作業が容易となる。また、使用中にも皮の中心が胴の中心に対しズレ動きに行くいので、使用中に同じ音色を長期にわたって保つことができる。
【発明を実施するための最良の形態】
【００１０】
つぎに、本発明の実施形態を図面に基づき説明する。
図１は本発明における皮張り打楽器の一実施形態である鞨鼓の側面図である。
同図において、１は胴、２はフランジセット、８は調緒、９は張力調整用の締め紐である。胴１は、円筒形で両端が開口している。胴１の素材は特に制限されず、木製や合成樹脂製などを任意に採用できるが、製作コストを低減する観点からは合成樹脂製が望ましい。
フランジセット２は、内側フランジ３と外側フランジ４とから構成され、皮（図５の５参照）を保持するために使用される。このフランジセット２の素材は特に制限されないが、製作コストを低減する観点からは合成樹脂を用いるのが好ましい。このフランジセット２は胴の両端に配置できるよう２個で一対となっている。
【００１１】
図２は図１の鞨鼓の部品図である。図３は内側フランジの内面図と断面図である。図４は外側フランジの内面図と断面図である。
図２はフランジセット２を構成する内側フランジ３と外側フランジ４、皮５、第１摩擦リング６を示している。
まず、内側フランジ３を図３に基づき説明すると、この内側フランジは公知のフランジと同様のリング状の部材であり、その内周面には第１環状溝３１が形成されている。この第１環状溝３１は第１摩擦リング６と皮５を収容するための凹溝である。その大きさは、組立てた状態で第１摩擦リング６が圧縮され、摩擦力が生じる程度でなければならない。
また、内側フランジ３には、等間隔にボルト孔３２と紐通し孔３３が交互に穿孔されている。
前記第１摩擦リングは、弾性と摩擦性を有する素材で作られたリング状部材であり、例えば、ゴム製のＯリングなどが用いられる。
【００１２】
図４に基づき外側フランジ４を説明する。この外側フランジ４も公知のフランジと同様のリング状の部材であり、その内面は平坦に仕上げられ、ボルト孔４２と紐通し孔４３が円周方向において等間隔に穿孔されている。
【００１３】
図５に基づき胴１の端部の構造を説明する。
同図には胴１の一端しか示していないが、同様の構成であるため一方のみ説明する。この胴１の端部には、リング状の保持部１１が形成されており、その外表面には第２摩擦リング７を収容する第２環状溝１２が形成されている。この第２環状溝１２は、第２摩擦リング７と皮５を収容する凹溝であり、その大きさは、組立てた状態で、第２摩擦リング７が圧縮され、摩擦力が生じる程度でなければならない。また、保持部１１の外端部は、皮５を痛めないように丸みのある形に仕上げられている。
前記第２摩擦リング７は前記第１摩擦リング６と同様に弾性と摩擦性を有する素材製のリングであり、例えばゴム製のＯリングなどが用いられる。
【００１４】
つぎに、本実施形態の鞨鼓の組立要領を説明する。
図２に示すように、内側フランジ３と外側フランジ４の間に、皮５と第１摩擦リング６を配置する。皮５は第１摩擦リング６と内側フランジ３の間である。また、第２摩擦リング７を胴１の端部へ取付けるため用意しておく。
そして、図６に示すように、内側フランジ３と外側フランジ４で皮５と第１摩擦リング６を挟んだ状態で、ボルト１３とナット１４により互いに固定する。
【００１５】
このとき、第１摩擦リング６は外側フランジ４で押されて変形し、皮５を内側フランジ３の第１環状溝３１に押し付けるので、皮５はしっかりとフランジセット２内に固定される。
また、このとき皮５は外力が加わらない自然な状態でフランジセット２に取付けられるので、皮５にしわが寄ることもない。換言すれば、皮５の全ての部分において、全ての方向に対し均一な状態が保たれている。
【００１６】
ついで、図７に示すように、胴１における保持部１１の第２環状溝１２に第２摩擦リング７を嵌め、そのうえからフランジセット２で保持された皮５を置く。
この作業は、胴１の両端で同時に行い、両方のフランジセット２，２の紐通し孔３２，４２に調緒８を通して、互いに固定する。全ての紐通し孔３２，４２に調緒８を通して軽く締めると、胴１の両端にフランジセット２で保持された皮５が取付けられた状態となる。
【００１７】
このとき、図７に示すように、皮５は第２摩擦リング７により胴１へ密着され、第１摩擦リング６によりフランジセット２に密着されるので、製作中に皮５がズレることもない。また、使用中の打撃によっても皮５がズレたり、張力が不均等になることがない。
【００１８】
ついで、図１に示すように、隣り合う調緒８を短い締め紐９で締めていくと、胴１両端の皮５に加わる張力を自在に調整して最適化することができる。そして、この張力調整は、皮５のフランジセット２への取付けとは別に行うので、さほどの熟練を要せずに行える。
【００１９】
前記実施形態では、内側フランジ３に第１摩擦リング６を収容する第１環状溝３１を設けたが、この代わりに外側フランジ４の内面に、前記第１環状溝３１を形成してもよい。
この場合、皮５を外側フランジ４側に、第１摩擦リング６を内側フランジ３側に置いて、両フランジ３，４で挟んで保持するとよい。
【００２０】
以上のように、本発明の皮張り打楽器では、フランジセット２の皮５の取付けと、その後の皮５への張力付与を別工程で行える構造となっているので、熟練を要することなく製造でき、大量生産が可能である。
【図面の簡単な説明】
【００２１】
【図１】本発明における皮張り打楽器の一実施形態である鞨鼓の側面図である。
【図２】図１の鞨鼓の部品図である。
【図３】内側フランジ３の内面図と断面図である。
【図４】外側フランジ４の内面図と断面図である。
【図５】図１の鞨鼓の胴の端部の断面図である。
【図６】図１の鞨鼓の組立て中の説明図である。
【図７】図１の鞨鼓の組立て完了後の説明図である。
【図８】従来の鞨鼓の側面図である。
【図９】従来の鞨鼓の正面図である。
【符号の説明】
【００２２】
１  胴
２  フランジセット
３  内側フランジ
４  外側フランジ
５  皮
６  第２摩擦リング
７  第２摩擦リング
８  調緒
９  締め紐
【図１】
2008191486.tif 000003
【図２】
2008191486.tif 000004
【図３】
2008191486.tif 000005
【図４】
2008191486.tif 000006
【図５】
2008191486.tif 000007
【図６】
2008191486.tif 000008
【図７】
2008191486.tif 000009
【図８】
2008191486.tif 000010
【図９】
2008191486.tif 000011